(57)【特許請求の範囲】
【請求項１】
ドラムに被保持部材を取り付けるドラム用ホルダであって、
前記被保持部材を保持する保持部と、
前記ドラムのテンションボルトに取り付けられる取付部と、
を有してなり、
前記取付部は、
前記テンションボルトを支持する前記ドラムのリムの上方に配置される第１取付部と、
前記第１取付部の下方に配置される第２取付部と、
を有し、
前記第１取付部は、前記テンションボルトの頭部と嵌合する第１係合部を備える、
ことを特徴とするドラム用ホルダ。
【請求項２】
前記第１係合部は、前記テンションボルトの頭部が嵌合可能な穴である、
請求項１記載のドラム用ホルダ。
【請求項３】
前記第１取付部は、前記テンションボルトを回転させるチューニングキーと係合する第２係合部、
を備え、
前記第２係合部と係合した前記チューニングキーが操作されたとき、前記第１係合部と嵌合した前記テンションボルトが回転する、
請求項１または２記載のドラム用ホルダ。
【請求項４】
前記チューニングキーには、前記テンションボルトの頭部が挿入可能な受口が形成され、
前記第２係合部は、前記受口に挿入されて前記チューニングキーと係合する、
請求項３記載のドラム用ホルダ。
【請求項５】
前記第１係合部に嵌合した前記テンションボルトを回転させる回転操作部、
を備える、
請求項１または２記載のドラム用ホルダ。
【請求項６】
前記回転操作部は、前記第１取付部と一体である、
請求項５記載のドラム用ホルダ。
【請求項７】
前記第１取付部と前記第２取付部との間隔を変更する間隔操作部、
を備える請求項１乃至６のいずれかに記載のドラム用ホルダ。
【請求項８】
前記間隔操作部は、
前記第１取付部と連結する第１操作部と、
前記第２取付部と連結する第２操作部と、
を備え、
前記第１操作部と前記第２操作部との間隔が変化したとき、前記第１取付部と前記第２取付部との間隔が変化する、
請求項７記載のドラム用ホルダ。
【請求項９】
前記第１取付部を回転可能に支持する支持部、
を備え、
前記第１操作部は、前記支持部を介して前記第１取付部と連結する、
請求項８記載のドラム用ホルダ。
【請求項１０】
前記第１操作部と前記第２操作部とを互いに離間する方向に付勢する付勢部材、
を備え、
前記取付部は、前記付勢部材の付勢力により前記テンションボルトに取り付けられる、
請求項８または９記載のドラム用ホルダ。
【請求項１１】
前記第１操作部と前記第２操作部との間隔が前記付勢部材の付勢力に抗して小さくなると、前記第１取付部と前記第２取付部との間隔は大きくなる、
請求項１０記載のドラム用ホルダ。
【請求項１２】
前記第２取付部は、前記リムに当接される、
請求項１乃至１１のいずれかに記載のドラム用ホルダ。
【請求項１３】
前記第２取付部は、前記テンションボルトを挟持する挟持部、
を備える、
請求項１２記載のドラム用ホルダ。
【請求項１４】
前記第２取付部の前記リムと当接する面に、前記リムとの摩擦係数を増加させる摩擦部材を有する、
請求項１２または１３記載のドラム用ホルダ。
【請求項１５】
前記テンションボルトの軸回りに回動するのを規制する規制部材、
を備える、
請求項１乃至１４のいずれかに記載のドラム用ホルダ。
【発明の詳細な説明】
【技術分野】
【０００１】
本発明は、ドラムにマイクロホンやミュート部材などを取り付けるドラム用ホルダに関する。
【背景技術】
【０００２】
ドラムが発するドラム音を収音する場合、収音用のマイクロホンを配置する方法には、例えば、マイクロホンをドラムの近傍に設置する方法や、マイクロホンをドラムに取り付ける方法、などがある。
【０００３】
マイクロホンをドラムに取り付ける場合、ドラムの胴体（ドラムシェル）に固定されたリムに取り付けられるマイクロホンホルダが提案されている（例えば、特許文献１参照）。
【０００４】
ここで、ドラムシェルに張設されるドラムヘッドに付与される張力の調整の方法について説明する。なお、ここでは、筒状のドラムシェルの上面と下面とが開口していて、上面の開口に張設されるドラムヘッドを例に説明する。
【０００５】
ドラムヘッドは、リムがドラムヘッドの周縁部をドラムシェルの側面に沿って下方向に押し付けることで、ドラムシェルに張設される。ドラムヘッドに付与される張力は、リムがドラムシェルの側面に沿って上下方向に移動することで、調整される。
【０００６】
すなわち、リムが下方向に移動すると、ドラムヘッドに付与される張力は大きくなる。このとき、ドラムヘッドが叩かれると、ドラムは高いドラム音（打音）を発する。一方、リムが上方向に移動すると、ドラムヘッドに付与される張力は小さくなる。このとき、ドラムヘッドが叩かれると、ドラムは低いドラム音を発する。
【０００７】
リムの上下方向の移動（ドラムシェルの側面に沿った移動）には、ドラムシェルとリムとを連結するテンションボルトが用いられる。テンションボルトの下端側には、ドラムシェルの側面に取り付けられたラグに締結されるネジ部が形成される。テンションボルトの上端側は、リムに回動可能に取り付けられる。リムは、テンションボルトの回転に伴い、ドラムシェルの側面に沿って上下方向に移動する。すなわち、テンションボルトの頭部がチューニングキーの受口に挿入され、チューニングキーが回されることで、テンションボルトは回転する。テンションボルトが回転することで、テンションボルトのラグへのネジ込み量が変動する。その結果、リムは、ドラムシェルの側面に沿って上下方向に移動する。すなわち、テンションボルトのラグへのネジ込み量が大きい場合、リムの上下方向の位置は、同ネジ込み量が小さい場合のリムの位置より、下方となる。リムが下方に移動すると、ドラムヘッドに付与される張力は大きくなる。
【０００８】
このように、ドラムシェルに対するリムの上下方向の位置が調整されることで、ドラムが発するドラム音の音程は調整（チューニング）される。
【先行技術文献】
【特許文献】
【０００９】
【特許文献１】特開２００９−９４８５１号公報
【発明の概要】
【発明が解決しようとする課題】
【００１０】
リムに取り付けられる特許文献１に記載されたマイクロホンホルダは、マイクロホンホルダ自体の荷重やマイクロホンホルダに保持されるマイクロホンの荷重をリムにかける。その結果、リムに不要な荷重がかかり、ドラムヘッドに付与される張力が不均一になる。特に、調整済のドラム音の音程は、影響を受け得る。また、リムにマイクロホンホルダが取り付けられた場合、特にリムの縁が薄いとき、リムにマイクロホンホルダを安定的に取り付けることができない。
【００１１】
本発明は、以上のような従来技術の問題点を解消するためになされたもので、ドラムヘッドに付与される張力への影響を低減することができるドラム用ホルダを提供することを目的とする。
【課題を解決するための手段】
【００１２】
本発明は、ドラムに被保持部材を取り付けるドラム用ホルダであって、被保持部材を保持する保持部と、ドラムのテンションボルトに取り付けられる取付部と、を有してなる、ことを特徴とする。
【発明の効果】
【００１３】
本発明によれば、被保持部材を安定してドラムに取り付けることができる。また、本発明によれば、ドラム用ホルダによるリムへの不要な荷重がかからず、ドラムヘッドに付与される張力への影響を低減することができる。
【図面の簡単な説明】
【００１４】
【図１】本発明にかかるドラム用ホルダの実施の形態を示す斜視図である。
【図２】上記ドラム用ホルダの正面図である。
【図３】上記ドラム用ホルダのスライド機構の第１支持部の斜視図である。
【図４】上記ドラム用ホルダのスライド機構の第２支持部の斜視図である。
【図５】上記ドラム用ホルダのスライド機構のスライド部材の斜視図である。
【図６】図２のドラム用ホルダのＡ−Ａ断面図である。
【図７】ドラムに取り付けられた上記ドラム用ホルダの斜視図である。
【図８】ドラムに取り付けられた上記ドラム用ホルダの正面図である。
【図９】図８のドラム用ホルダの部分断面図である。
【図１０】本発明にかかるドラム用ホルダの別の実施の形態を示すドラムに取り付けられた状態の斜視図である。
【図１１】図１０のドラム用ホルダの平面図である。
【図１２】本発明にかかるドラム用ホルダのさらに別の実施の形態を示す正面図である。
【発明を実施するための形態】
【００１５】
以下、図面を参照しながら、本発明にかかるドラム用ホルダの実施の形態について説明する。
【００１６】
●ドラム用ホルダ（１）●
先ず、本発明にかかるドラム用ホルダの構成について説明する。
【００１７】
●ドラム用ホルダの構成
図１は、本発明にかかるドラム用ホルダの実施の形態を示す斜視図である。ドラム用ホルダ１００は、第１取付部１と、第２取付部２と、間隔操作部３と、スライド機構４と、保持部５と、を有してなる。
【００１８】
ドラム用ホルダ１００は、マイクロホンＭを保持する。すなわち、マイクロホンＭは、ドラム用ホルダ１００に保持されてドラムに取り付けられる被保持部材の例である。
【００１９】
なお、ドラム用ホルダ１００によって取り付けられる被保持部材の別の例としては、例えば、ドラム音を消音するためにドラムヘッドの表面に当接されるミュート部材がある。
【００２０】
マイクロホンＭは、マイクロホン本体Ｍ１と、支持部Ｍ２と、コードＭ３と、を有してなる。マイクロホン本体Ｍ１は、音声や楽器音などを収音し、収音した音に応じた電気信号を生成する。同図は、マイクロホン本体Ｍ１の外周がウィンドスクリーンで覆われていることを示す。ウィンドスクリーンとは、マイクロホン本体Ｍ１が、マイクロホン本体Ｍ１の周囲の風の風圧に起因する雑音を収音するのを防止するためのものである。支持部Ｍ２は、マイクロホン本体Ｍ１を支持する。コードＭ３は、マイクロホン本体Ｍ１が生成した電気信号をスピーカやアンプなどマイクロホンＭの外部装置に伝送する伝送線である。
【００２１】
第１取付部１と第２取付部２とは、取付部を構成する。ドラム用ホルダ１００は、後述するように、取付部により、ドラムのテンションボルトに取り付けられる。ドラム用ホルダ１００が取り付けられるドラムの構成については、後述する（図７）。
【００２２】
第１取付部１は、テンションボルトの頭部と、テンションボルトを回転させるチューニングキーと、に係合する。第１取付部１は、第１取付部１に係合されたチューニングキーが回転したとき、その回転に合わせて、第１取付部１に係合されたテンションボルトを回転させる。第１取付部１は、リムの上方に配置される。
【００２３】
第２取付部２は、ドラムのリムの底面に当接すると共に、テンションボルトの軸部を挟持する。第２取付部２は、第１取付部１の下方に配置される。
【００２４】
間隔操作部３は、ドラム用ホルダ１００の使用者等の操作により、第１取付部１と第２取付部２との間隔を変化させる。
【００２５】
スライド機構４は、取付部と間隔操作部３とを連結する。スライド機構４は、間隔操作部３が操作されると、取付部を構成する第１取付部１と第２取付部２との間隔を変化させる。
【００２６】
保持部５は、マイクロホンＭを保持する。
【００２７】
図２は、ドラム用ホルダ１００の正面図である。
【００２８】
第１取付部１は、本体１０と、第１係合部１１と、第２係合部１２と、支持部１３と、を有してなる。
【００２９】
本体１０は、支持部１３を介して、スライド機構４に回転可能に取り付けられる。本体１０は、略円柱である。
【００３０】
第１係合部１１は、テンションボルトの頭部と係合する。第１係合部１１は、後述するように、第１取付部１の本体１０に形成された、テンションボルトの頭部が挿入可能な穴である。第１係合部１１としての穴は、本体１０の底面（紙面下側の面）の略中央から所定の深さ（紙面上方向）に形成される。
【００３１】
第２係合部１２は、テンションボルトを回転させるチューニングキーと係合する。すなわち、第２係合部１２の外形は、チューニングキーが係合するテンションボルトの頭部の外形と略同一である。第２係合部１２は、本体１０の上面（紙面上側の面）から上方に突設される。
【００３２】
支持部１３は、スライド機構４に本体１０を回転可能に支持する。支持部１３は、平面視においてドーナツ状である。支持部１３は、本体１０の側面の周方向に形成された溝に嵌め込まれる。支持部１３の外周面には、後述するように、凹状の溝が形成されている（図９）。この凹状の溝には、後述するように、スライド機構４を構成する第１支持部４１の支持孔４１ｈ１が嵌め込まれる（図３、図９）。
【００３３】
第２取付部２は、平面視においてＵ字状に形成された挟持部２１を有する平板状体である（図１参照）。リムの底面に当接する第２取付部２は、その上面（紙面上側の面であって第１取付部１に対向する面）に、リムとの摩擦係数を増加させる摩擦部材を有する。摩擦部材の材質は、例えば、ゴムである。テンションボルトの軸部は、挟持部２１の内周面に当接されて挟持部２１に挟持される。
【００３４】
間隔操作部３は、第１操作部３１と、第２操作部３２と、付勢部材３３と、を有してなる。
【００３５】
第１操作部３１は、後述する第１支持部４１を介して、第１取付部１と連結する。
【００３６】
第２操作部３２は、後述する第２支持部４２を介して、第２取付部２と連結する。
【００３７】
付勢部材３３は、第１操作部３１と第２操作部３２とを互いに離間する方向に付勢する。付勢部材は、例えば、金属製のバネである。取付部は、付勢部材の付勢力により、テンションボルトに取り付けられる。すなわち、ドラム用ホルダ１００は、付勢部材の付勢力により、ドラムに取り付けられる。
【００３８】
スライド機構４は、第１支持部４１と、第２支持部４２と、スライド部材４３と、を有してなる。
【００３９】
図３は、第１支持部４１の斜視図である。第１支持部４１は、第１支持フランジ４１ａと、第２支持フランジ４１ｂと、起立部４１ｃと、を有してなる。
【００４０】
第１支持部４１は、金属製の板状体の両端が折り曲げられて形成される。第１支持フランジ４１ａは、第１支持部４１の長手方向の一端側（紙面上側）の部分が、第１支持部４１の短手方向の折り曲げ線で折り曲げられて形成される。第２支持フランジ４１ｂは、第１支持部４１の長手方向の他端側（紙面下側）の部分が、第１支持部４１の短手方向の折り曲げ線で折り曲げられて形成される。第１支持フランジ４１ａを形成する折り曲げ線と、第２支持フランジ４１ｂを形成する折り曲げ線とは、平行である。第１支持フランジ４１ａが折り曲げられる方向と、第２支持フランジ４１ｂが折り曲げられる方向とは、逆方向である。第１支持フランジ４１ａの面に沿う方向と、第２支持フランジ４１ｂの面に沿う方向とは、平行である。起立部４１ｃは、第１支持部４１のうち、第１支持フランジ４１ａと第２支持フランジ４１ｂとで挟まれた部分である。
【００４１】
第１支持フランジ４１ａは、第１取付部１を回転可能に支持する。第１支持フランジ４１ａには、支持孔４１ｈ１が形成される。支持孔４１ｈ１には、第１取付部１の支持部１３の外周面に形成された凹状の溝が嵌め込まれて、支持部１３が取り付けられる。
【００４２】
第２支持フランジ４１ｂは、第１操作部３１にネジで締結される。第２支持フランジ４１ｂには、ネジ３ｓ１（図９）が挿通されるネジ孔４１ｈ２が形成される。
【００４３】
起立部４１ｃは、スライド部材４３にネジで締結される。起立部４１ｃには、ネジ４ｓ１とネジ４ｓ２（図９）とが挿通されるネジ孔４１ｈ３とネジ孔４１ｈ４とが形成される。ネジ孔４１ｈ３とネジ孔４１ｈ４のそれぞれは、後述するスライド部材４３のネジ孔４３ｈ３とネジ孔４３ｈ４（図５）とに連通する。
【００４４】
図４は、第２支持部４２の斜視図である。第２支持部４２は、第１支持フランジ４２ａと、第２支持フランジ４２ｂと、起立部４２ｃと、ホルダ支持部４２ｄと、を有してなる。
【００４５】
第２支持部４２は、金属製の板状体の一部が折り曲げられて形成される。第１支持フランジ４２ａは、第２支持部４２の長手方向の一端側（紙面下側）の部分が、第２支持部４２の短手方向の折り曲げ線で折り曲げられて形成される。第２支持フランジ４２ｂは、第２支持部４２の長手方向の他端側（紙面上側）の部分が、第２支持部４２の短手方向の折り曲げ線で折り曲げられて形成される。第１支持フランジ４２ａを形成する折り曲げ線と、第２支持フランジ４２ｂを形成する折り曲げ線とは、平行である。第１支持フランジ４２ａが折り曲げられる方向と、第２支持フランジ４２ｂが折り曲げられる方向とは、逆方向である。第１支持フランジ４２ａの面に沿う方向と、第２支持フランジ４２ｂの面に沿う方向とは、平行である。起立部４２ｃは、第２支持部４２のうち、第１支持フランジ４２ａと第２支持フランジ４２ｂとで挟まれた部分である。ホルダ支持部４２ｄは、第２支持部４２の面に沿う方向の対向する２辺のうち１辺から第２支持部４２の短手方向に起立部４２ｃから延設された折片が、第２支持部４２の長手方向の折り曲げ線で折り曲げられて形成される。ホルダ支持部４２ｄが折り曲げられる方向は、第２支持フランジ４２ｂが折り曲げられる方向と、同じである。
【００４６】
第１支持フランジ４２ａには、第２取付部２が固定される。第１支持フランジ４２ａは、例えば、第２取付部２に形成された溝に挿入されて、第２取付部２に固定される。第１支持フランジ４２には、平面視においてＵ字状の支持孔４２ｈ１が形成される。
【００４７】
第２支持フランジ４２ｂは、第２操作部３２にネジで締結される。第２支持フランジ４２ｂには、ネジ３ｓ２（図９）が挿通されるネジ孔４２ｈ２が形成される。
【００４８】
起立部４２ｃは、スライド部材４３とスライド可能に係合される。起立部４２ｃには、スライド部材４３と係合するスライド孔４２ｈ３が、第２支持部４２の長手方向（紙面上下方向）に形成される。
【００４９】
ホルダ支持部４２ｄには、保持部５がネジで締結される。ホルダ支持部４２ｄには、ネジが挿通されるネジ孔４２ｈ４とネジ孔４２ｈ５とが形成される。
【００５０】
図５は、スライド部材４３の斜視図である。スライド部材４３は、本体４３ａと、ネジ受部４３ｂと、を有してなる。
【００５１】
本体４３ａは、第１支持部４１にネジで締結される。本体４３ａは、側面視（図２の左右方向から見た形状）において矩形である。本体４３ａには、ネジ４ｓ１とネジ４ｓ２（図９）とが挿通されるネジ孔４３ｈ３とネジ孔４３ｈ４とが形成される。
【００５２】
本体４３ａは、第２支持部４２がスライド可能となるように、第２支持部４２と係合する。本体４３ａは、平面視においてＨ字状である。本体４３ａの正面（紙面手前側）には、本体４３ａの長手方向（紙面上下方向）に凹状の溝４３ｈ１が形成される。本体４３ａの背面（紙面奥側）には、本体４３ａの長手方向に凹状の溝４３ｈ２が形成される。溝４３ｈ１と溝４３ｈ２とには、第２支持部４２のスライド孔４２ｈ３の周縁が係合する。本体４３ａは、スライド孔４２ｈ３のスライド孔４２ｈ３に沿ってスライドする。
【００５３】
ネジ受部４３ｂは、本体４３ａとネジで締結される。ネジ受部４３ｂは、側面視（図２の左右方向に見たときの形状）において、本体４３ａの側面視における形状と同一の矩形である。
【００５４】
図６は、図２のドラム用ホルダ１００のＡ−Ａ断面図である。ここで、第１支持部４１と第２支持部４２とスライド部材４３との連結方法を説明する。
【００５５】
第１支持部４１の起立部４１ｃは、スライド部材４３の本体４３ａに固定される。したがって、起立部４１ｃと接続する第１支持部４１の第１支持フランジ４１ａと、スライド部材４３と、の位置関係は固定、つまり、第１支持フランジ４１ａとスライド部材４３との間隔は一定である。すなわち、第１支持フランジ４１ａに回転可能に固定される第１取付部１を構成する支持部１３や本体１０（第１係合部１１が形成される）と、スライド部材４３との間隔は、一定である。
【００５６】
本体４３ａの溝４３ｈ１と溝４３ｈ２とには、第２支持部４２の起立部４２ｃに形成されたスライド孔４２ｈ３の周縁がスライド可能に係合する。すなわち、第２支持部４２は、スライド部材４３に対して紙面の手前側や奥側にスライド可能である。起立部４２ｃは、保持部５が固定されたホルダ支持部４２ｄと接続する。スライド部材４３のネジ受部４３ｂは、本体４３ａに固定される。
【００５７】
このように、第１支持部４１と第２支持部４２とは、スライド部材４３を介して連結される。第１支持部４１と第２支持部４２のうち、第２支持部４２のみがスライド部材４３に対してスライド可能である。
【００５８】
図２に戻る。第１支持部４１と第２支持部４２とは、スライド部材４３を介して連結される。
【００５９】
第１取付部１と第１操作部３１とは、第１支持部４１を介して連結される。第１取付部１は、第１支持部４１の第１支持フランジ４１ａに回転可能に固定される。第１操作部３１は、第１支持部４１の第２支持フランジ４１ｂに固定される。
【００６０】
第２取付部２と第１操作部３２とは、第２支持部４２を介して連結される。第２取付部２は、第２支持部４２の第１支持フランジ４２ａに固定される。第２操作部３２は、第２支持部４２の第２支持フランジ４２ｂに固定される。
【００６１】
ここで、第１支持フランジ４１ａと第１支持フランジ４２ａとの間隔を、第１間隔とする。また、第２支持フランジ４１ｂと第２支持フランジ４２ｂとの間隔を、第２間隔とする。
【００６２】
前述のとおり、第１支持部４１と第２支持部４２とは、スライド部材４３を介して、連結している。そのため、第２間隔が小さくなると第１間隔は大きくなり、第２間隔が大きくなると第１間隔は小さくなる。
【００６３】
保持部５は、ホルダ支持部４２ｄと嵌合する穴を有する。保持部５は、マイクロホンＭの支持部Ｍ２が挿入される挿入口を備える。すなわち、マイクロホンＭは、支持部Ｍ２の一端が保持部５の挿入口に挿入されて固定されることで、ドラム用ホルダ１００に保持される。支持部Ｍ２の他端には、マイクロホン本体Ｍ１が接続する。
【００６４】
図７は、ドラムＤに取り付けられたドラム用ホルダ１００の斜視図である。
【００６５】
ここで、ドラムＤの構成を説明する。ドラムＤは、ドラムシェルＤ１と、ドラムヘッドＤ２と、リムＤ３と、テンションボルトＤ４と、ラグＤ５と、を有してなる。
【００６６】
ドラムシェルＤ１は、ドラムＤの胴体である。ドラムシェルＤ１は、上面と下面とが開口した円筒状体である。ドラムシェルＤ１は、例えば、木製である。
【００６７】
ドラムヘッドＤ２は、ドラムシェルＤ１の上面の開口を覆う。ドラムヘッドＤ２は、例えば、プラスチック製である。
【００６８】
リムＤ３は、テンションボルトＤ４を回転可能にドラムシェルＤ１に支持する。リムＤ３は、ドラムヘッドＤ２をドラムシェルＤ１に張設する。リムＤ３は、例えば、金属製である。リムＤ３は、平面視において円形（リング状）である。リムＤ３は、テンションボルトＤ４を支持する支持部Ｄ３１を複数備える。すなわち、リムＤ３は、後述するラグＤ５と共に、複数のテンションボルトＤ４を支持する。複数の支持部Ｄ３１は、リムＤ３の外周の周方向に等間隔に形成されている。各支持部Ｄ３１には、テンションボルトＤ４の上端側（紙面上側）が挿入される挿入孔が形成されている。
【００６９】
テンションボルトＤ４は、ドラムシェルＤ１にドラムヘッドＤ２を固定する。テンションボルトＤ４は、ドラムシェルＤ１にリムＤ３を固定する。テンションボルトＤ４は、棒状体である。テンションボルトＤ４は、例えば、金属製である。
【００７０】
ラグＤ５は、テンションボルトＤ４を回転可能にドラムシェルＤ１に支持する。ラグＤ５は、例えば、金属製である。ラグＤ５は、ドラムシェルＤ１とネジで固定されている。複数のラグＤ５が、ドラムシェルＤ１の側面に、ドラムシェルＤ１の周方向に等間隔に配置される。ラグＤ５には、テンションボルトＤ４の下端側（紙面下側）に形成された雄ネジ部分が挿入される挿入孔が形成されている。ラグＤ５の挿入孔の内周面には雌ネジが形成されている。テンションボルトＤ４は、その下端側がラグＤ５の挿入孔に螺合されて、ラグＤ５に締結される。
【００７１】
●ドラム用ホルダの取付方法
次に、ドラムＤへのドラム用ホルダ１００の取付方法について説明する。
【００７２】
先ず、第１操作部３１と第２操作部３２との間隔が小さくなるように、ドラム用ホルダ１００の使用者の２本の指のそれぞれで第１操作部３１と第２操作部３２とが押圧される。すなわち、第１操作部３１と第２操作部３２とは、付勢部材３３の付勢力に抗して、互いに近づく（第２間隔が小さくなる）。その結果、第１支持部４１を介して第１操作部３１に連結する第１取付部１と、第２支持部４２を介して第２操作部３２に連結する第２取付部２と、の間隔（第１間隔）は大きくなる。すなわち、第１取付部１と第２取付部２とは、互いに離れる。
【００７３】
次いで、第１取付部１と第２取付部２との間隔が大きくなった状態で、第２取付部２の挟持部２１は、テンションボルトＤ４の軸部に当接される。このとき、挟持部２１は、テンションボルトＤ４の軸部のうち、リムＤ３の支持部Ｄ３１より下方に配置される。なお、第２取付部２の上面は、リムＤ３の裏面（紙面下側の面）に当接した状態、または、当接していない状態のいずれかの状態で維持される。一方、第１取付部１は、テンションボルトＤの頭部Ｄ４１の上方に移動される。
【００７４】
次いで、第１操作部３１と第２操作部３２とへの押圧が解除される。その結果、第１操作部３１と第２操作部３２とは、付勢部材３３の付勢力により、互いに離間する。つまり、第１操作部３１と第２操作部３２との間隔（第２間隔）が大きくなる。第２間隔が大きくなると、第１間隔が小さくなる。すなわち、第１取付部１と第２取付部２とが、互いに近づく。このとき、第２取付部２とリムＤ３との当接は維持され、テンションボルトＤの頭部Ｄ４１の上方に位置していた第１取付部１の第１係合部１１としての挿入穴に頭部Ｄ４１が挿入される。
【００７５】
このように、第２取付部２がリムＤ３の裏面に当接しつつテンションボルトＤ４を挟持した状態で、第１取付部１がテンションボルトＤ４の頭部Ｄ４１と係合する。その結果、ドラム用ホルダ１００はドラムＤに取り付けられる。
【００７６】
●ドラムヘッドＤ２に付与される張力の調整方法
次に、ドラム用ホルダ１００が取り付けられたドラムＤにおいて、ドラムヘッドＤ２に付与される張力の調整方法について説明する。
【００７７】
図８は、ドラムＤに取り付けられたドラム用ホルダ１００の正面図である。同図は、チューニングキーＴがドラム用ホルダ１００の第１取付部１の第２係合部１２に係合された状態、つまり、第２係合部１２がチューニングキーＴに形成された受口に挿入された状態を示す。
【００７８】
図９は、図８のドラム用ホルダ１００の部分断面図である。テンションボルトＤの頭部Ｄ４１は、第１取付部１の第１係合部１１に係合している。第１取付部１の第２係合部１２は、チューニングキーＴに係合している。
【００７９】
第１取付部１は、支持部１３を介して、第１支持部４１に回転可能に支持されている。支持部１３の外周面には、凹状の溝が形成されており、この溝に第１支持部４１の支持孔４１ｈ１が嵌め込まれている。
【００８０】
第２取付部２は、摩擦部材を有する面（紙面上側の面）がリムＤ３の下面に当接している。第２取付部２の挟持部２１は、テンションボルトＤ４の軸部を挟持している。
【００８１】
第１支持部４１のネジ孔４１ｈ３から挿入されたネジ４ｓ１が、第１支持部４１とスライド部材４３とを締結する。第１支持部４１のネジ孔４１ｈ４から挿入されたネジ４ｓ２が、第１支持部４１とスライド部材４３とを締結する。
【００８２】
第１操作部３１には、ネジ孔が形成されている。第１操作部３１のネジ孔から挿入されたネジ３ｓ１が、第１操作部３１と、第２支持フランジ４１ｂと、付勢部材３３の一端側（紙面下側）を保持する保持部材と、を締結する。
【００８３】
第２操作部３２には、ネジ孔が形成されている。第２操作部３２のネジ孔から挿入されたネジ３ｓ２が、第２操作部３２と、第２支持フランジ４２ｂと、付勢部材３３の他端側（紙面上側）を保持する保持部材と、を締結する。
【００８４】
ドラムヘッドＤ２は、リムＤ３がドラムヘッドＤ２の周縁部Ｄ２１をドラムシェルＤ１の側面に沿って下方向に押し付けることで、ドラムシェルＤ１に張設される。
【００８５】
第２係合部１２に係合されたチューニングキーＴは、ドラム用ホルダ１００の使用者の指で回されて、回転する。チューニングキーＴが回転すると、第１取付部１がチューニングキーＴの回転方向と同じ方向に回転する。第１取付部１が回転すると、第１係合部１１に係合されたテンションボルトＤ４が第１取付部１の回転方向と同じ方向に回転する。
【００８６】
ドラムヘッドＤ２に付与される張力は、テンションボルトＤ４の回転に伴い、リムＤ３の移動により調整される。すなわち、テンションボルトＤ４が回転すると、リムＤ３がドラムシェルＤ１に対して紙面上下方向に移動する。その結果、リムＤ３によりドラムシェルＤ１に張設されているドラムヘッドＤ２の張力は、リムＤ３のドラムシェルＤ１に対する移動に応じて変化する。このようにして、ドラムヘッドＤ２に付与される張力は、チューニングキーＴの回転により第１取付部１が回転することで調整される。
【００８７】
●まとめ
以上説明した実施の形態によれば、ドラム用ホルダ１００は、チューニングキーＴと係合可能で、かつ、テンションボルトＤ４と係合可能な第１取付部１を備える。そのため、チューニングキーＴが回転したとき、第１取付部１を介して、テンションボルトＤ４を回転させることができる。すなわち、ドラム用ホルダ１００は、ドラムＤのテンションボルトＤ４に取り付けられた状態で、テンションボルトＤ４を回転させる。つまり、ドラムヘッドＤ２に付与される張力は、ドラム用ホルダ１００がドラムＤに取り付けられた状態で、調整可能である。その結果、ドラムＤの音の音程は、ドラム用ホルダ１００が取り付けられた状態で、チューニング可能となり、所望の演奏状態が容易に実現される。
【００８８】
また、ドラム用ホルダ１００は、テンションボルトＤ４の頭部Ｄ４１に取り付けられるため、ドラム用ホルダ１００自体の荷重やドラム用ホルダ１００に保持されるマイクロホンＭの荷重がテンションボルトＤ４にかかる。しかし、テンションボルトＤ４は、頭部Ｄ４１の他端側がラグＤ５に螺合されて固定されているため、ドラム用ホルダ１００は安定してドラムＤに取り付けられる。テンションボルトＤ４は、テンションボルトＤ４自身が回転しない限り、ラグＤ５へのネジ込み量は変化しない。すなわち、テンションボルトＤ４にドラム用ホルダ１００などの荷重がかかったとしても、リムＤ３はドラムシェルＤ１に対して移動せず、ドラムヘッドＤ２に付与される張力は変化しない。このように、ドラム用ホルダ１００は、ドラムヘッドＤ２に付与される張力への影響を低減する。
【００８９】
なお、本発明にかかるドラム用ホルダにおいて、テンションボルトＤ４に取り付けられるドラム用ホルダがテンションボルトＤ４の軸回りに回転するのを規制する規制部材を設けてもよい。
【００９０】
図１０は、本発明にかかるドラム用ホルダの別の実施の形態を示す斜視図である。
図１１は、図１０のドラム用ホルダの平面図である。
【００９１】
支持脚６は、前述の規制部材の例である。支持脚６は、板状体の一部を折り曲げて形成される。支持脚６は、その長手方向の中央部分で、テンションボルトＤ４の軸部を挟持する。支持脚６は、その長手方向の両端のそれぞれがリムＤ３に当接する。支持脚６の両端がリムＤ３に当接するため、テンションボルトＤ４が回転したとき、テンションボルトＤ４に取り付けられているドラム用ホルダはテンションボルトＤ４の軸回りに回転しない。
●ドラム用ホルダ（２）●
次に、本発明にかかるドラム用ホルダの別の実施の形態について、先に説明した実施の形態と異なる部分を中心に説明する。
【００９２】
本実施の形態にかかるドラム用ホルダは、テンションボルトＤ４を回転させるためのチューニングキーの機能も有する点において、これまでに説明した実施の形態にかかるドラム用ホルダと異なる。
【００９３】
図１１は、本発明にかかるドラム用ホルダの別の実施の形態を示す使用時の斜視図である。
【００９４】
ドラム用ホルダ２００は、第１取付部１Ａを有する。ドラム用ホルダ２００と先に説明したドラム用ホルダ１００との相違点は、第１取付部１Ａと第１取付部１とが異なるのみである。
【００９５】
第１取付部１Ａは、本体１０と、第１係合部１１と、回転操作部１２Ａと、支持部１３と、を有する。
【００９６】
本体１０は、ドラム用ホルダ１００の支持部１３と同様である。第１係合部１１は、ドラム用ホルダ１００の第１係合部１１と同様であり、頭部Ｄ４１に係合される。回転操作部１２Ａは、その頂部（紙面上側）が前述のチューニングキーＴのように形成されている。すなわち、回転操作部１２Ａは、ドラム用ホルダ１００の第１取付部１とチューニングキーＴとを一体化した形状である。支持部１３は、ドラム用ホルダ１００の支持部１３と同様である。
【００９７】
回転操作部１２Ａは、ドラム用ホルダ２００の使用者の指により回されて、回転する。回転操作部１２Ａが回転すると、第１取付部１Ａが回転操作部１２Ａの回転方向と同じ方向に回転する。第１取付部１Ａが回転すると、第１係合部１１に係合されたテンションボルトＤ４が第１取付部１Ａの回転方向と同じ方向に回転する。その結果、ドラムＤ２に付与される張力は、調整される。
【００９８】
●まとめ
以上説明した実施の形態によれば、ドラム用ホルダ２００は、テンションボルトＤ４を回転させるための操作部を備える。そのため、チューニングキーＴが無くても、ドラムヘッドＤ２に付与される張力は、ドラム用ホルダ２００のみで調整される。
【符号の説明】
【００９９】
１        第１取付部
１０      本体
１１      第１係合部
１２      第２係合部
１３      支持部
２        第２取付部
２１      挟持部
３        間隔操作部
３１      第１操作部
３２      第２操作部
３ｓ１    ネジ
３ｓ２    ネジ
３３      付勢部材
４        スライド機構
４１      第１支持部
４１ａ    第１支持フランジ
４１ｂ    第２支持フランジ
４１ｃ    起立部
４１ｈ１  支持孔
４１ｈ２  ネジ孔
４１ｈ３  ネジ孔
４１ｈ４  ネジ孔
４ｓ１    ネジ
４ｓ２    ネジ
４２      第２支持部
４２ａ    第１支持フランジ
４２ｂ    第２支持フランジ
４２ｃ    起立部
４２ｄ    ホルダ支持部
４２ｈ１  支持孔
４２ｈ２  支持孔
４２ｈ３  スライド孔
４２ｈ４  ネジ孔
４２ｈ５  ネジ孔
４３      スライド部材
４３ａ    本体
４３ｂ    ネジ受部
４３ｈ１  溝
４３ｈ２  溝
４３ｈ３  ネジ孔
４３ｈ４  ネジ孔
５        保持部
６        支持脚
１００    ドラム用ホルダ
１Ａ      第１取付部
１２Ａ    回転操作部
２００    ドラム用ホルダ
Ｍ        マイクロホン
Ｍ１      マイクロホン本体
Ｍ２      支持部
Ｍ３      コード
Ｄ        ドラム
Ｄ１      ドラムシェル
Ｄ２      ドラムヘッド
Ｄ２１    周縁部
Ｄ３      リム
Ｄ３１    支持部
Ｄ４      テンションボルト
Ｄ４１    頭部
Ｄ５      ラグ
Ｔ        チューニングキー
【図１】
0006619587.tif 000002
【図２】
0006619587.tif 000003
【図３】
0006619587.tif 000004
【図４】
0006619587.tif 000005
【図５】
0006619587.tif 000006
【図６】
0006619587.tif 000007
【図７】
0006619587.tif 000008
【図８】
0006619587.tif 000009
【図９】
0006619587.tif 000010
【図１０】
0006619587.tif 000011
【図１１】
0006619587.tif 000012
【図１２】
0006619587.tif 000013